(57)【要約】【課題】  各家庭内にある無線ＬＡＮを利用して、イントラネット接続環境外（構外）からのイントラネット接続を可能とした、携帯端末、携帯端末システム、携帯端末通信方法、携帯端末通信プログラム、該プログラムを記録した記録媒体を提供する。【解決手段】  携帯端末システムにおいて、複数の家庭内無線ＬＡＮ５と、複数のＶＬＡＮ４と、ＩＳＰの所有するＩＳＰ管理手段１と、複数のイントラネット２と、携帯端末６とを設け、上記携帯端末６が、上記複数の家庭内無線ＬＡＮ５から選択した接続可能な特定の家庭内無線ＬＡＮ５と、この接続可能な特定の家庭内無線ＬＡＮ５が上記複数のＶＬＡＮ４から選択した接続可能な特定のＶＬＡＮ４とを利用して、携帯端末６へのユーザの入力操作により上記複数のイントラネット２から特定されたイントラネット２に上記ＩＳＰ管理手段１を介して接続するようにシステム構成する。【選択図】  図１
2007096617.tif 000002
【特許請求の範囲】
【請求項１】
複数の家庭内無線ＬＡＮと、複数のＶＬＡＮと、ＩＳＰの所有するＩＳＰ管理手段と、複数のイントラネットと、携帯端末と、を備えた携帯端末システムであって、
前記携帯端末は、前記複数の家庭内無線ＬＡＮから選択した接続可能な特定の家庭内無線ＬＡＮと、この接続可能な特定の家庭内無線ＬＡＮが前記複数のＶＬＡＮから選択した接続可能な特定のＶＬＡＮとを利用して、前記携帯端末へのユーザの入力操作により前記複数のイントラネットから特定されたイントラネットに、前記ＩＳＰ管理手段を介して接続することを特徴とする携帯端末システム。
【請求項２】
前記携帯端末は、前記複数の家庭内無線ＬＡＮがそれぞれ発する電波強度が所定レベル以上であるか否かを判断基準として、接続可能な家庭内無線ＬＡＮを特定することを特徴とする請求項１記載の携帯端末システム。
【請求項３】
前記携帯端末は、前記接続可能な特定の家庭内無線ＬＡＮに対して、前記特定されたイントラネットに接続を要求する旨のイントラネット接続要求情報を送信することを特徴とする請求項１又は２に記載の携帯端末システム。
【請求項４】
前記接続可能な特定の家庭内無線ＬＡＮは、前記携帯端末と接続され、該端末から受信した前記イントラネット接続要求情報を基に、前記複数のＶＬＡＮから接続可能な特定のＶＬＡＮを選択し、該選択したＶＬＡＮを利用して、前記ＩＳＰ管理手段に対して、前記イントラネット接続要求情報を送信することを特徴とする請求項３記載の携帯端末システム。
【請求項５】
前記ＩＳＰ管理手段は、受信した前記イントラネット接続要求情報を基に、前記複数のイントラネットから特定されたイントラネットを選択し、前記特定のＶＬＡＮ、前記特定の家庭内無線ＬＡＮを介して、前記携帯端末との接続処理を実行することを特徴とする請求項４記載の携帯端末システム。
【請求項６】
複数の家庭内無線ＬＡＮと、複数のＶＬＡＮと、ＩＳＰの所有するＩＳＰ管理手段と、複数のイントラネットと、携帯端末と、を備えた携帯端末システムの携帯端末であって、
前記携帯端末は、前記複数の家庭内無線ＬＡＮから選択した接続可能な特定の家庭内無線ＬＡＮと、この接続可能な特定の家庭内無線ＬＡＮが前記複数のＶＬＡＮから選択した接続可能な特定のＶＬＡＮとを利用して、前記携帯端末へのユーザの入力操作により前記複数のイントラネットから特定されたイントラネットに、前記ＩＳＰ管理手段を介して接続することを特徴とする携帯端末システムの携帯端末。
【請求項７】
前記携帯端末は、前記複数の家庭内無線ＬＡＮがそれぞれ発する電波強度が所定レベル以上であるか否かを判断基準として、接続可能な家庭内無線ＬＡＮを特定することを特徴とする請求項６記載の携帯端末システムの携帯端末。
【請求項８】
前記携帯端末は、前記接続可能な特定の家庭内無線ＬＡＮに対して、前記特定されたイントラネットに接続を要求する旨のイントラネット接続要求情報を送信することを特徴とする請求項６又は７に記載の携帯端末システムの携帯端末。
【請求項９】
コンピュータに、請求項６から８のいずれか１項に記載の携帯端末システムの携帯端末が行う所定の動作を実行させるための携帯端末通信プログラム。
【請求項１０】
請求項９記載の携帯端末通信プログラムを記録した記録媒体。
【請求項１１】
複数の家庭内無線ＬＡＮと、複数のＶＬＡＮと、ＩＳＰの所有するＩＳＰ管理手段と、複数のイントラネットと、携帯端末と、を備えた携帯端末システムの携帯端末通信方法であって、
前記携帯端末は、前記複数の家庭内無線ＬＡＮから選択した接続可能な特定の家庭内無線ＬＡＮと、この接続可能な特定の家庭内無線ＬＡＮが前記複数のＶＬＡＮから選択した接続可能な特定のＶＬＡＮとを利用して、前記携帯端末へのユーザの入力操作により前記複数のイントラネットから特定されたイントラネットに、前記ＩＳＰ管理手段を介して接続する工程を有することを特徴とする携帯端末システムの携帯端末通信方法。
【発明の詳細な説明】
【技術分野】
【０００１】
本発明は、携帯電話機、ＰＨＳ（Personal Handyphone System）、ＰＤＡ（Personal Data Assistance，Personal Digital Assistants：個人向け携帯型情報通信機器）、ノートパソコン等の携帯端末に関し、特に、インターネット接続又はイントラネット接続が可能な、携帯端末、携帯端末システム、携帯端末通信方法、携帯端末通信プログラム、該プログラムを記録した記録媒体に関する。
【背景技術】
【０００２】
携帯電話機、ＰＨＳ（Personal Handyphone System）、ＰＤＡ（Personal Data Assistance，Personal Digital Assistants：個人向け携帯型情報通信機器）、ノートパソコン等の携帯端末の多くは、ダイアルアップ以外ではＩＳＰ（Internet Service Provider）が提供する限られたアクセスポイントでのみ、インターネット接続又はイントラネット接続が行える。アクセスポイントの数は少なく、店舗、駅等の限られたエリアでのみ接続可能である。また、特許文献１では、複数のＩＳＰをユーザに接続するＩＰ移動体通信アクセスネットワークにおける高速モビリティ制御に関する技術が開示されている。
【特許文献１】特開２００４−１３５０８０号公報
【発明の開示】
【発明が解決しようとする課題】
【０００３】
しかし、従来、ＬＡＮ接続によるＩＰ内線電話やイントラネット接続は、各ユーザが通常利用しているイントラネット接続環境に直接接続できない場合（構内）には利用することができないという問題があった。また、構外でＬＡＮ接続を可能とするためには、アクセスポイントの設置が必要で多くの投資が必要となるという問題があった。また、ダイアルアップ接続によりＬＡＮへ接続するには定額制／従量制にかかわらず通信費が発生するという問題があった。
【０００４】
本発明は、上記のような問題点に鑑み、各家庭内にある無線ＬＡＮを利用することにより、イントラネット接続環境外（構外）におけるイントラネット接続を可能とした、携帯端末、携帯端末システム、携帯端末通信方法、携帯端末通信プログラム、該プログラムを記録した記録媒体を提供することを目的とする。
【課題を解決するための手段】
【０００５】
請求項１記載の発明は、複数の家庭内無線ＬＡＮと、複数のＶＬＡＮと、ＩＳＰの所有するＩＳＰ管理手段と、複数のイントラネットと、携帯端末と、を備えた携帯端末システムであって、前記携帯端末は、前記複数の家庭内無線ＬＡＮから選択した接続可能な特定の家庭内無線ＬＡＮと、この接続可能な特定の家庭内無線ＬＡＮが前記複数のＶＬＡＮから選択した接続可能な特定のＶＬＡＮとを利用して、前記携帯端末へのユーザの入力操作により前記複数のイントラネットから特定されたイントラネットに前記ＩＳＰ管理手段を介して接続する携帯端末システムとしたことを特徴とする。
【０００６】
請求項２記載の発明は、前記携帯端末は、前記複数の家庭内無線ＬＡＮがそれぞれ発する電波強度が所定レベル以上であるか否かを判断基準として、接続可能な家庭内無線ＬＡＮを特定する請求項１記載の携帯端末システムとしたことを特徴とする。
【０００７】
請求項３記載の発明は、前記携帯端末は、前記接続可能な特定の家庭内無線ＬＡＮに対して、前記特定されたイントラネットに接続を要求する旨のイントラネット接続要求情報を送信する請求項１又は２に記載の携帯端末システムとしたことを特徴とする。
【０００８】
請求項４記載の発明は、前記接続可能な特定の家庭内無線ＬＡＮは、前記携帯端末と接続され、該端末から受信した前記イントラネット接続要求情報を基に、前記複数のＶＬＡＮから接続可能な特定のＶＬＡＮを選択し、該選択したＶＬＡＮを利用して、前記ＩＳＰ管理手段に対して、前記イントラネット接続要求情報を送信する請求項３記載の携帯端末システムとしたことを特徴とする。
【０００９】
請求項５記載の発明は、前記ＩＳＰ管理手段は、受信した前記イントラネット接続要求情報を基に、前記複数のイントラネットから特定されたイントラネットを選択し、前記特定のＶＬＡＮ、前記特定の家庭内無線ＬＡＮを介して、前記携帯端末との接続処理を実行する請求項４記載の携帯端末システムとしたことを特徴とする。
【００１０】
請求項６記載の発明は、複数の家庭内無線ＬＡＮと、複数のＶＬＡＮと、ＩＳＰの所有するＩＳＰ管理手段と、複数のイントラネットと、携帯端末と、を備えた携帯端末システムの携帯端末であって、前記携帯端末は、前記複数の家庭内無線ＬＡＮから選択した接続可能な特定の家庭内無線ＬＡＮと、この接続可能な特定の家庭内無線ＬＡＮが前記複数のＶＬＡＮから選択した接続可能な特定のＶＬＡＮとを利用して、前記携帯端末へのユーザの入力操作により前記複数のイントラネットから特定されたイントラネットに、前記ＩＳＰ管理手段を介して接続する携帯端末システムの携帯端末としたことを特徴とする。
【００１１】
請求項７記載の発明は、前記携帯端末は、前記複数の家庭内無線ＬＡＮがそれぞれ発する電波強度が所定レベル以上であるか否かを判断基準として、接続可能な家庭内無線ＬＡＮを特定する請求項６記載の携帯端末システムの携帯端末としたことを特徴とする。
【００１２】
請求項８記載の発明は、前記携帯端末は、前記接続可能な特定の家庭内無線ＬＡＮに対して、前記特定されたイントラネットに接続を要求する旨のイントラネット接続要求情報を送信する請求項６又は７に記載の携帯端末システムの携帯端末としたことを特徴とする。
【００１３】
請求項９記載の発明は、コンピュータに、請求項６から８のいずれか１項に記載の携帯端末システムの携帯端末が行う所定の動作を実行させるための携帯端末通信プログラムとしたことを特徴とする。
【００１４】
請求項１０記載の発明は、請求項９記載の携帯端末通信プログラムを記録した記録媒体としたことを特徴とする。
【００１５】
請求項１１記載の発明は、複数の家庭内無線ＬＡＮと、複数のＶＬＡＮと、ＩＳＰの所有するＩＳＰ管理手段と、複数のイントラネットと、携帯端末と、を備えた携帯端末システムの携帯端末通信方法であって、前記携帯端末は、前記複数の家庭内無線ＬＡＮから選択した接続可能な特定の家庭内無線ＬＡＮと、この接続可能な特定の家庭内無線ＬＡＮが前記複数のＶＬＡＮから選択した接続可能な特定のＶＬＡＮとを利用して、前記携帯端末へのユーザの入力操作により前記複数のイントラネットから特定されたイントラネットに、前記ＩＳＰ管理手段を介して接続する工程を有する携帯端末システムの携帯端末通信方法としたことを特徴とする。
【発明の効果】
【００１６】
本発明によれば、各家庭内にある無線ＬＡＮを利用することにより、イントラネット接続環境外（構外）におけるイントラネット接続を可能とした、携帯端末、携帯端末システム、携帯端末通信方法、携帯端末通信プログラム、該プログラムを記録した記録媒体を実現することができる。
【発明を実施するための最良の形態】
【００１７】
本発明を実施するための最良の形態は、携帯端末システムにおいて、複数の家庭内無線ＬＡＮと、複数のＶＬＡＮと、ＩＳＰの所有するＩＳＰ管理手段と、複数のイントラネットと、携帯端末とを設け、上記携帯端末が、上記複数の家庭内無線ＬＡＮから選択した接続可能な特定の家庭内無線ＬＡＮと、この接続可能な特定の家庭内無線ＬＡＮが上記複数のＶＬＡＮから選択した接続可能な特定のＶＬＡＮとを利用して、携帯端末へのユーザの入力操作により上記複数のイントラネットから特定されたイントラネットに上記ＩＳＰ管理手段を介して接続するようにシステム構成する。
【００１８】
以下に、本発明の好適な実施形態を添付図面に基づいて詳細に説明する。尚、以下に述べる実施形態は本発明の好適な具体例であるから、技術的に好ましい種々の限定が付されているが、本発明の範囲は、以下の説明において特に本発明を限定する旨の記載がない限り、これらの実施形態に限られるものではない。
【００１９】
（実施形態１）
本実施形態の携帯端末システムは、一般家庭で利用している家庭内無線ＬＡＮをアクセスポイントとして利用することを特徴とし、アクセスポイントの設置無しに、イントラネット接続環境外（構外）にある携帯端末からのイントラネット接続を可能としたことを特徴とする。
【００２０】
まず、本実施形態の携帯端末システムの構成及び各部の機能について、図１を用いて以下に説明する。図１は、本実施形態の携帯端末システムの概略構成図である。図１に示すように、本実施形態の携帯端末システムは、ＩＳＰ（Internet Service Provider）管理手段１、イントラネット２（図１に示すイントラネット１〜ｎ）、インターネット３、ＶＬＡＮ（Virtual Local Area Network）４（図１に示すＶＬＡＮ１〜ｎ）、家庭内無線ＬＡＮ５（図１に示す家庭内無線ＬＡＮ１〜ｎ）、及び、携帯端末６を備えている。
【００２１】
ＩＳＰ（Internet Service Provider）管理手段１は、ＩＳＰ（Internet Service Provider）の管理下にあり、本実施形態の携帯端末システムにおける、携帯端末６からの接続要求に基づいて、本システムに加入している複数のイントラネット２（図１に示すイントラネット１〜ｎ）の中から選択した特定のイントラネット２（図１に示すイントラネット１〜ｎのうちのいずれか）と、携帯端末６とを接続する機能を有している。
イントラネット２（図１に示すイントラネット１〜ｎ）は、本システムに加入している複数の企業等により、それぞれ独自に構築されている複数のネットワークである。
【００２２】
インターネット３は、ネットワークとネットワークを相互に接続することによって、世界中に広がったネットワーク環境である。
ＶＬＡＮ４（図１に示すＶＬＡＮ１〜ｎ）は、インターネット３上に独自に構築された複数の経路であり、家庭内無線ＬＡＮ５とＩＳＰ管理手段１とを接続するために必要な経路である。
【００２３】
家庭内無線ＬＡＮ ５（図１に示す家庭内無線ＬＡＮ１〜ｎ）は、通常、家庭毎に設置され、電子メールの送受信、ＷＷＷシステムにより提供されるホームページ等の閲覧等に利用される無線ＬＡＮである。この家庭内無線ＬＡＮ ５は、本実施形態の携帯端末システムに加入契約している各家庭内で構築されている無線ＬＡＮであり、インターネット３上に独自に構築されたＶＬＡＮ４を介して、ＩＳＰ管理手段１と接続される。
【００２４】
尚、本実施形態の家庭内無線ＬＡＮ５については、家庭内無線ＬＡＮ５の所有者とＩＳＰ管理手段１のＩＳＰ（Internet Service Provider）との間で、家庭内無線ＬＡＮ５を一般利用者に利用させる旨の契約が結ばれていることを前提とする。
携帯端末６は、各個人が持ち歩く携帯電話、ＰＤＡやノートＰＣ等の携帯端末である。この携帯端末６には、予め本携帯端末システムを動作させるためのシステムプログラムが搭載されている。
【００２５】
本実施形態の携帯端末システムは、図１に示す携帯端末６とイントラネット２（例えば、図１に示すイントラネット１）とを接続するために、ＩＳＰ管理手段１が選択したＶＬＡＮ４（例えば、図１に示すＶＬＡＮ１）と、携帯端末６により選択された家庭内無線ＬＡＮ５（例えば、図１に示す家庭内無線ＬＡＮ１）とを利用することを特徴とする。
【００２６】
本実施形態の携帯端末システムの動作について、図２を用いて以下に具体的に説明する。図２は、本実施形態の携帯端末システムの動作について説明するためのフローチャートである。まず、携帯端末６のユーザは、外出時に特定のイントラネット２（図１に示すイントラネット１〜ｎのいずれか）との接続を行いたい場合に、携帯端末６にインストールされている本携帯端末システムを動作させるためのシステムプログラムを起動させ、携帯端末６からイントラネット接続のためのキー入力操作を行う。
【００２７】
上記ユーザのキー入力操作により、ユーザが希望する特定のイントラネット２（図１に示すイントラネット１〜ｎのいずれか）への接続要求を受けた携帯端末６は、接続可能な家庭内無線ＬＡＮ５があるかどうかをチェックする（ステップ１０１）。ここで、この接続可能な家庭内無線ＬＡＮ５があるかどうかのチェックは、例えば、複数ある家庭内無線ＬＡＮ５（図１に示す家庭内無線ＬＡＮ１〜ｎ）の発する電波強度が、それぞれ接続可能な所定レベル以上のものであるか否かを判断することによって行うことができる。また、上記チェックは、電波強度を判断基準とする他、ＶＬＡＮ４のＩＤ、ＶＬＡＮ名、周波数、登録されている識別ＩＤ等の情報を用いて行うこともできる。
【００２８】
次に、携帯端末６が接続可能な家庭内無線ＬＡＮ５（図１に示す家庭内無線ＬＡＮ１〜ｎのいずれか）があると判断した場合に、携帯端末６は、ユーザのキー入力操作により特定されたイントラネット２（図１に示すイントラネット１〜ｎのいずれか）に接続するために、イントラネット接続要求情報（特定されたイントラネット２のアドレス情報を含む。）を、接続可能と判断した特定の家庭内無線ＬＡＮ５（図１に示す家庭内無線ＬＡＮ１〜ｎのいずれか）に対して送信する。
【００２９】
続いて、ステップ１０２では、上記イントラネット接続要求情報を受信した家庭内無線ＬＡＮ５（図１に示す家庭内無線ＬＡＮ１〜ｎのいずれか）は、イントラネット接続要求情報を基に、接続先の特定のイントラネット２（図１に示すイントラネット１〜ｎのいずれか）との経路となる特定のＶＬＡＮ４（図１に示すＶＬＡＮ１〜ｎのいずれか）が選択できるか否かをチェックする。
【００３０】
そして、家庭内無線ＬＡＮ５（図１に示す家庭内無線ＬＡＮ１〜ｎのいずれか）は、経路となる特定のＶＬＡＮ４（図１に示すＶＬＡＮ１〜ｎのいずれか）を選択できると判断した場合には、選択した特定のＶＬＡＮ４（図１に示すＶＬＡＮ１〜ｎのいずれか）の経路を利用して、上記イントラネット接続要求情報を、ＩＳＰ（Internet Service Provider）管理手段１へ送信する。
【００３１】
続いて、ＩＳＰ（Internet Service Provider）管理手段１は、上記家庭内無線ＬＡＮ５（図１に示す家庭内無線ＬＡＮ１〜ｎのいずれか）から上記選択したＶＬＡＮ４（図１に示すＶＬＡＮ１〜ｎのいずれか）の経路を介して受信したイントラネット接続要求情報を受信し、該情報を基に、特定されたイントラネット２（図１に示すイントラネット１〜ｎのいずれか）への接続を行う（ステップ１０３）。
【００３２】
一方、携帯端末６が利用可能な家庭内無線ＬＡＮ５がないと判断した場合（ステップ１０１Ｎｏ）、又は、利用可能な家庭内無線ＬＡＮ５があると判断した場合であっても経路となるＶＬＡＮ４が選択できないと判断した場合は（ステップ１０２Ｎｏ）、携帯端末６は、ダイアルアップ接続によりＩＳＰ管理手段１に接続し、特定のイントラネット２（図１に示すイントラネット１〜ｎのいずれか）に接続する（ステップ１０４）。
【００３３】
以上説明した本実施形態の携帯端末システムによれば、携帯端末６のユーザがダイアルアップ接続なのか家庭内無線ＬＡＮ接続なのかを意識することなく、希望するイントラネット２への接続を行うことができる。また、本実施形態の携帯端末システムは、家庭内無線ＬＡＮ５を直接ＩＳＰ管理手段１へ接続しないで、複数の家庭内無線ＬＡＮ５をリンクさせ、そのうちのひとつの家庭内無線ＬＡＮ５とＩＳＰ管理手段１とを接続することにより、携帯端末６からイントラネット２への接続を行うようにしてもよい。
【００３４】
また、本実施形態の携帯端末システムでは、携帯端末６とイントラネット２との接続に家庭内無線ＬＡＮ５及びＶＬＡＮ４を利用したが、これに限らず、Ｂｌｕｅｔｏｏｔｈ等の他の接続手段を利用し、本実施形態と同様の方法で携帯端末６からイントラネット２への接続を行ってもよい。また、本実施形態の携帯端末システムでは、携帯端末６からイントラネット２への接続を行っているが、携帯端末６からインターネット３への接続をする場合にも、本実施形態と同様の方法で行うことが可能である。
【００３５】
また、本実施形態によれば、携帯端末６と家庭内無線ＬＡＮ５との接続が行える場合には、ダイアルアップ接続による通信費が発生せず、携帯端末６のユーザの契約相手（ＩＳＰ）側のＩＳＰ管理手段１経由でイントラネット２への接続を通信費無しで行うことができる。また、本実施形態によれば、構内ＬＡＮで通常使用している携帯端末６がダイアルアップ接続を行えないものであって、この携帯端末６を構外に持ち出した場合に、外部（構外）からイントラネット２へ接続するための接続手段を提供することが可能となる。
【００３６】
更に、本実施形態によれば、ＩＳＰ（Internet Service Provider）側にとっては、通常店舗、駅等に設置しているアクセスポイントに加えて、設備投資をすることなく、契約している家庭内無線ＬＡＮ５をアクセスポイントとして利用することができるという効果を得ることができる。
【図面の簡単な説明】
【００３７】
【図１】本実施形態の携帯端末システムの概略構成図である。
【図２】本実施形態の携帯端末システムの動作について説明するためのフローチャートである。
【符号の説明】
【００３８】
１    ＩＳＰ（Internet Service Provider）
２    イントラネット１〜ｎ
３    インターネット
４    ＶＬＡＮ１〜ｎ
５    家庭内無線ＬＡＮ１〜ｎ
６    携帯端末
【図１】
2007096617.tif 000003
【図２】
2007096617.tif 000004